(57)【特許請求の範囲】
【請求項１】
第１の駆動手段と、
回転可能な入力軸受及び出力軸受を有し、これら入力軸受及び出力軸受を連結又は切り離し可能な切替手段と、
この切替手段の入力軸受に連結した第１の軸と、前記第１の駆動手段によって回転する回転軸とを連結し、前記第１の駆動手段による駆動力を伝達する第１の伝達手段と、
回転可能な第３の軸を連結する軸受と、
前記切替手段の出力軸に連結した第２の軸と前記軸受に連結された第３の軸を連結し、前記第２の軸の駆動力を前記第３の軸に伝達する第２の伝達手段と、
第２の駆動手段と、
この第２の駆動手段の回転軸と前記第３の軸を連結し、前記第２の駆動手段の回転軸の駆動力を前記第３の軸に伝達する第３の伝達手段と、
少なくとも２個のオン／オフ可能なスイッチ手段と、
この２個のスイッチ手段が共にオンのときに出力されるスイッチ信号によって前記第２の駆動手段を停止し、前記切替手段の入力軸及び出力軸を連結する搬送速度切替制御手段と、
を備えたことを特徴とする搬送速度切替装置。
【請求項２】
前記搬送速度切替制御手段は、
前記スイッチ手段が、第１のスイッチ及び第２のスイッチを直列に接続したものを一対として複数配置されたとき、この中の任意の一対のスイッチを構成する当該第１のスイッチ及び第２のスイッチが共にオンのときに出力されるスイッチ信号によって前記第２の駆動手段を停止し、前記切替手段の入力軸及び出力軸を連結することを特徴とする請求項１記載の搬送速度切替装置。
【請求項３】
前記スイッチ手段は、
一対の前記第１のスイッチ及び前記第２のスイッチと、
前記第１のスイッチがオンのときリレーを付勢する電源が供給される第１のリレーと、
前期第２のスイッチがオンのときリレーを付勢する電源が供給される第２のリレーと、
前記第１のリレーの接点端子の一方を基準電位とし、当該接点端子の他方と前記第２のリレーの接点端子を直列に接続して得られた信号を前記スイッチ信号とすることを特徴とする請求項１記載の搬送速度切替装置。
【請求項４】
紙葉類が一括して供給された供給部から１枚ずつ取出して搬送する搬送手段と、この搬送手段によって搬送された前記紙葉類を検査する紙葉類検査手段と、この紙葉類検査手段による検査結果に基づいて前記紙葉類を区分する区分手段と、を備えた紙葉類処理装置であって、
前記搬送手段を第１の搬送速度で運転する第１の駆動手段と、
前記搬送手段を第２の搬送速度で運転する第２の駆動手段と、
回転可能な入力軸受及び出力軸受を有し、これら入力軸受及び出力軸受を連結又は切り離し可能な切替手段と、
この切替手段の入力軸受に連結した第１の軸と、前記第１の駆動手段によって回転する回転軸とを連結し、第１の駆動手段による駆動力を伝達する第１の伝達手段と、
回転可能な第３の軸を連結する軸受と、
前記切替手段の出力軸に連結した第２の軸と前記軸受に連結された第３の軸を連結し、前記第２の軸の駆動力を前記第３の軸に伝達する第２の伝達手段と、
前記第２の駆動手段によって回転する回転軸と、前記軸受に連結された第３の軸を連結し、前記第２の駆動手段による駆動力を前記第３の軸に伝達する第３の伝達手段と、
少なくとも２個のオン／オフ可能なスイッチ手段と、
この２個のスイッチが共にオンのときに前記第２の駆動手段を停止し、前記切替手段の入力軸及び出力軸を連結する搬送速度切替制御手段と、
を備えたことを特徴とする紙葉類処理装置。
【請求項５】
前記搬送速度切替制御手段は、
前記第２の駆動手段が運転中のときに出力されるインバータ設定信号と、
前記２個のスイッチ信号を直列接続して得られた信号と、
前記インバータ設定信号がアクテブのときに、前記２個のスイッチ信号に関わらず切替手段が連結されず、前記インバータ設定信号がアクテブでなくかつ前記２個のスイッチ信号が共にオンのときに、切替手段を連結する信号を出力しかつ警報ブザーを所定の時間鼓動することを特徴とする請求項４記載の紙葉類処理装置。
【発明の詳細な説明】
【技術分野】
【０００１】
本発明は、有価証券などの紙葉類を処理する紙葉類処理装置の保守時に搬送速度を切り替える搬送速度切替装置及び紙葉類処理装置に関する。
【背景技術】
【０００２】
有価証券などの紙葉類を処理する紙葉類処理装置は一括して投入された紙葉類を１枚ずつ取出して搬送し、紙葉類検査装置によって当該紙葉類の品質（形状、損傷、印刷のかすれ及び汚れなど）を検査し、正常な券（以下、正紙と称する。）、不良券（以下、損紙と称する。）及び搬送異常券や２枚取り券などの排除券に区分処理する装置である。正紙は１００枚ごとに紙帯で結束されて把が形成され、必要に応じて１０把積み重ねてさらに紙帯で結束して束が形成される。
【０００３】
この種の大型な装置では、装置の主動力源として、装置の運転用にはインバータ制御によるＡＣ３相モータ（以下、３相モータと称する。）が使用されており、保守時など低速に運転して各ユニットの動作を確認する際には、この３相モータのインバータの設定変更により低速運転していた。具体的には保守時などの際に、操作員が操作パネルから装置の運用を保守モード（メンテナンスモード）に設定し、インバータの設定変更を行う。この状態で装置を構成する各ユニットに配置されている切り替えスイッチをオンすることによりメンテナンスモードに切替わり、装置の運転釦を押下することによって、装置は低速で運転される。当然ながら、この状態で切り替えスイッチをオフすることにより低速運転状態は停止する。
【０００４】
メンテナンスモードによる保守作業が終了すれば、切り替えスイッチをもとに戻して、インバータの設定データを元に戻すことにより、復帰する。上述したような1個のモータを用いたクラッチによる速度切り替え方法が知られている（例えば、特許文献１参。）。
【特許文献１】特開平５−１５９１３０号公報  （第２頁、図２）
【発明の開示】
【発明が解決しようとする課題】
【０００５】
しかしながら、従来の紙葉類処理装置では、スイッチ等を用いてメンテナンスモードで使用する際、３相モータのインバータの設定変更を行っているため、誤った設定をすると、期待された低速運転ではなく高速運転になってしまうという安全上の課題があった。また、他の操作員が周囲を未確認のままスイッチを入れてしまうと、作業中の他の操作員が装置に巻き込まれるという安全上の課題があった。
【０００６】
本発明は、上記課題を解決するためになされたもので、装置の主動力源としての３相モータの他にメンテナンスモード時に低速運転する駆動源（ＡＣモータ）を別途設け、これらを低速運転が必要な場合にクラッチにより切り替えて運転することにより、安全な運転を可能にする搬送速度切替装置及び紙葉類処理装置を提供することを目的とする。
【課題を解決するための手段】
【０００７】
上記目的を達成するために、本発明の請求項１記載の搬送速度切替装置は、第１の駆動手段と、回転可能な入力軸受及び出力軸受を有し、これら入力軸受及び出力軸受を連結又は切り離し可能な切替手段と、この切替手段の入力軸受に連結した第１の軸と、前記第１の駆動手段によって回転する回転軸とを連結し、前記第１の駆動手段による駆動力を伝達する第１の伝達手段と、回転可能な第３の軸を連結する軸受と、前記切替手段の出力軸に連結した第２の軸と前記軸受に連結された第３の軸を連結し、前記第２の軸の駆動力を前記第３の軸に伝達する第２の伝達手段と、第２の駆動手段と、この第２の駆動手段の回転軸と前記第３の軸を連結し、前記第２の駆動手段の回転軸の駆動力を前記第３の軸に伝達する第３の伝達手段と、少なくとも２個のオン／オフ可能なスイッチ手段と、この２個のスイッチ手段が共にオンのときに出力されるスイッチ信号によって前記第２の駆動手段を停止し、前記切替手段の入力軸及び出力軸を連結する搬送速度切替制御手段と、を備えたことを特徴とする。
【０００８】
また、本発明の請求項４記載の紙葉類処理装置は、紙葉類が一括して供給された供給部から１枚ずつ取出して搬送する搬送手段と、この搬送手段によって搬送された前記紙葉類を検査する紙葉類検査手段と、この紙葉類検査手段による検査結果に基づいて前記紙葉類を区分する区分手段と、を備えた紙葉類処理装置であって、前記搬送手段を第１の搬送速度で運転する第１の駆動手段と、前記搬送手段を第２の搬送速度で運転する第２の駆動手段と、回転可能な入力軸受及び出力軸受を有し、これら入力軸受及び出力軸受を連結又は切り離し可能な切替手段と、この切替手段の入力軸受に連結した第１の軸と、前記第１の駆動手段によって回転する回転軸とを連結し、第１の駆動手段による駆動力を伝達する第１の伝達手段と、回転可能な第３の軸を連結する軸受と、前記切替手段の出力軸に連結した第２の軸と前記軸受に連結された第３の軸を連結し、前記第２の軸の駆動力を前記第３の軸に伝達する第２の伝達手段と、前記第２の駆動手段によって回転する回転軸と、前記軸受に連結された第３の軸を連結し、前記第２の駆動手段による駆動力を前記第３の軸に伝達する第３の伝達手段と、少なくとも２個のオン／オフ可能なスイッチ手段と、この２個のスイッチが共にオンのときに前記第２の駆動手段を停止し、前記切替手段の入力軸及び出力軸を連結する搬送速度切替制御手段と、を備えたことを特徴とする。
【発明の効果】
【０００９】
本発明によれば、装置の主動力源としての３相モータの他にメンテナンスモード時に低速運転する駆動源（ＡＣモータ）を別途設け、これらを低速運転が必要な場合にクラッチにより切り替えて運転することにより、安全な運転を可能にする搬送速度切替装置及び紙葉類処理装置を提供することができる。
【発明を実施するための最良の形態】
【００１０】
以下、図面を参照して本発明の実施例を説明する。
【実施例１】
【００１１】
図１は、本発明の実施例１による搬送速度切替装置９を搭載した紙葉類処理装置１００の概略構成図である。図２は、搬送速度切替装置９を説明する図である。
【００１２】
最初に、図１を参照して紙葉類処理装置１００の構成について説明する。この紙葉類処理装置１００には、紙葉類Ｐが一括して供給された供給部１ａから紙葉類Pを１枚ずつ取り出す取出装置１、この取出装置１によって所定の間隔で１枚ずつ取り出された紙葉類Ｐを搬送する搬送路（搬送手段）３、この搬送路３によって搬送された紙葉類Ｐの印刷状態を検査する紙葉類検査装置（紙葉類検査手段）４、この紙葉類検査装置４による検査結果に基づいて当該紙葉類Ｐを区分する区分手段として紙葉類Ｐを集積する集積装置及びこの集積装置で集積された紙葉類Ｐを紙帯で結束する結束装置からなる集積・結束装置５、及び排除券を集積する排除券集積装置６が備えられている。さらに、上記搬送路３には、高速（第２の搬送速度）に運転する第２の駆動手段と、低速(第１の搬送速度)に運転する第１の駆動手段が備えられており、これらをメンテナンス時に切り替える搬送速度切替装置９が備えられている。
【００１３】
取出装置１には、１投入単位である例えば１０００枚の紙葉類Ｐを一括して供給する供給部１ａ、供給された紙葉類Ｐを一定の間隔で１枚ずつ取り出す取出部１ｂが備えられている。
【００１４】
搬送路（搬送手段）３は、搬送面に沿って配置された搬送ローラ、この搬送ローラに掛けられた搬送ベルト及びこの搬送ローラを駆動する駆動手段で構成される。本実施例では、搬送される紙葉類Ｐが長手方向に搬送されるため、搬送方向と直行する方向に約１０ｍｍ幅の搬送ベルトが２本配置されている。この搬送ベルトの幅及び本数は、搬送される紙葉類Ｐの形状、及び長手搬送又は短手搬送などの搬送形態によって最適な値が設定される。また、新券（発行直後の新しい紙葉類）を処理する場合には、搬送される紙葉類が搬送ベルトによって汚される場合があるため、搬送ベルトの折り返し部分にはベルトクリーニング装置２０ａ〜２０ｆが配置される。
【００１５】
紙葉類検査装置（紙葉類検査手段）４は、搬送される紙葉類Ｐの印刷状態を検査する装置である。この検査装置４による検査の結果、印刷状態が正常な紙葉類Ｐは正紙と判断され、検査の結果印刷状態に異常がある券は損紙と判別され、搬送異常券、２枚取り券など検査不能券は排除券と判別される。排除券は、分岐ゲートＧ１によって右側に分岐され、搬送路３ａによって排除券集積装置６に集積される。
【００１６】
なお、本実施例のように紙葉類処理装置１００が新券を処理する場合には、紙葉類Ｐの記番号（発行番号）が連番になっている正紙で占められるため、集積・結束装置５は正紙用集積装置５１、５２で構成され、損紙用集積装置は備えられていない場合を示したが、集積・結束装置５の一部を損紙用集積装置とし、搬送異常券、2枚取り券など検査不能券を排除券集積装置６に集積するように設定することが可能なのは当然である。
【００１７】
図２は、搬送速度切替装置９の一例である。この搬送速度切替装置９には、メンテナンス時に第1の速度である低速に回転する第１の駆動手段９１、この第１の駆動手段９１の駆動力を伝達する第１の伝達手段９２、この第１の伝達手段９２によって伝達された駆動力をオン／オフ制御する切替手段としての電磁クラッチ９３ａ、この電磁クラッチ９３ａから出力された第１の駆動手段９１の駆動力を伝達する第２の伝達手段９６、この第２の伝達手段により伝達された駆動力により回転する軸受部９７、通常運転時に第２の速度で高速に回転する第２の駆動手段９４、この第２の駆動手段９４の駆動力を伝達する第３の伝達手段９５及び搬送速度切替制御部９９が備えられている。
【００１８】
第１の駆動手段９１は、ＡＣモータ９１ａを有しており、このＡＣモータ９１ａの回転速度は、後述する第１の伝達手段９２によって低速回転するように速度変換される。
【００１９】
第１の伝達手段９２は、ＡＣモータ９１ａの回転軸９１ｂに配置されたプーリ９１ｃ、電磁クラッチ（切替手段）９３ａの入力軸９３ｂに配置されたプーリ９３ｃと、プーリ９１ｃ及びプーリ９３ｃに掛け回された連結ベルト９２ａとで構成される。このような構成において、プーリ９１ｃの径に対してプーリ９３ｃの径が大きく設定されており、この径の比により、プーリ９１ｃの回転速度に比べてプーリ９３ｃの回転速度が低速回転になる。
【００２０】
搬送速度切替装置９には、切替手段としての電磁クラッチ９３ａ、この電磁クラッチ９３ａの入力軸保持部９３ａ１に連結されている入力軸９３ｂ、電磁クラッチ９３ａの出力軸保持部９３ａ２に連結されている出力軸９３ｄが備えられている。
【００２１】
入力軸９３ｂにはプーリ９３ｃが配置され、上記第１の伝達手段９２によってＡＣモータ９１ａの駆動力が入力軸９３ｂに伝達される。
【００２２】
出力軸９３ｄにはプーリ９３ｅ又は９３ｆが配置され、実施例ではこのプーリ９３ｆに連結された第２の伝達手段９６によって入力軸９３ｂに伝達された駆動力が外部に伝達される。
【００２３】
すなわち、電磁クラッチ９３ａをオンすることにより、入力軸保持部９３ａ１と出力軸保持部９３ａ２が連結され、入力軸９３ｂの駆動力が出力軸９３ｄに伝達される。この結果出力軸９３ｄの回転軸は入力軸９３ｂの回転速度で回転する。
【００２４】
第２の伝達手段９６は、出力軸９３ｄに配置されたプーリ９３ｆ及び軸受部９７の軸受９７に回転自在に保持されている軸９７ｂと、このプーリ９３ｆ及びプーリ９７ｄに掛け回された連結ベルト９６ａとで構成される。この結果、電磁クラッチ９３ａをオンすることにより図示矢印Ａ１方向に低速回転する。
【００２５】
第２の駆動手段９４は、紙葉類処理装置１００を駆動する主モータであるため、出力の大きい３相モータ９４ａが使用されている。この３相モータ９４ａの回転軸９４ｂにはプーリ９４ｃが組み込まれており、後述する軸受９７にその駆動力を伝達する。
【００２６】
軸受部９７には、回転軸９７ｂが設けられており、この回転軸９７ｂにはプーリ９７ｃ及びプーリ９７ｄが組み込まれている。プーリ９７ｃには、搬送速度切替装置９の回転軸９３ｇに組み込まれているプーリ９３ｆと、駆動ベルト９６を介して連結され、搬送速度切替装置９の回転軸９３ｇの駆動力が伝達される。また、プーリ９７ｄには、３相モータ９４ａの回転軸９４ｃに組み込まれているプーリ９４ｃと、駆動ベルト９５を介して連結され、ａ９４の回転軸９４ｃの駆動力が伝達される。この結果、電磁クラッチ９３ａがオフのとき、図示矢印Ａ１方向に通常高速回転を行う。
【００２７】
この軸受部９７の軸９７ｂは上述したように２箇所からの駆動力を受けるが、同時に２箇所から異なる駆動力を受けるのではなか、通常の運転状態では、３相モータ９４ａ側からの駆動力によって回転する。一方、メンテナンスモードで低速運転する場合には、９４ａの回転は停止し、ＡＣモータ９１ａ側の駆動力が電磁クラッチ９３ａにより接続されて低速で回転する。
【００２８】
また、メンテナンスモードでの処理を終了し、通常運転になると、今度はＡＣモータ９１ａ側の駆動力が電磁クラッチ９３ａによって切り離され出力軸９３ｄに駆動力が伝達されない。その結果、軸受９７の軸９７ｂは９４ａ側の駆動力によって回転することになる。上記電磁クラッチのオン／オフ制御方法は後述する。
【００２９】
搬送速度切替制御部９９には、操作員がメンテナンスモードに設定して低速で搬送するために各部装置側に配置されたスイッチ手段としてのキースイッチＳＷ１１〜ＳＷｎ２からのスイッチ信号及びインバータ信号を入力する入力部９９ａ、入力された信号に基づいてブザー９９ｂを鼓動し、かつ電磁クラッチ９３ａをオン又はオフ駆動するための電磁クラッチ信号９９ｆを生成する切替制御部９９ｃが設けられている。
【００３０】
上記スイッチ手段は、例えば第１のスイッチとしてキースイッチＳＷ１１、第２のスイッチとしてキースイッチＳＷ１２を直列に接続したものを一対として、紙葉類処理装置１００を操作するのに必要とされる複数配置される。図２は、紙葉類処理装置１００を構成する主な装置１〜装置ｎに１対のキースイッチを複数配置した様子を示す。
【００３１】
図３は、図２に示す搬送速度切替制御部９９から出力される電磁クラッチオン／オフ信号９９ｆを説明する図である。図４は、搬送速度切替装置９の動作を説明するタイミングチャートである。これら図３及び図４を参照して搬送速度切替装置９の動作を説明する。
【００３２】
メンテナンスモードに切り替えるためのキースイッチは各部装置に１組（2個）又は複数の装置毎に１組配置される。この配置位置は装置の大きさ又は保守操作のやりやすさから設定される。ここでは、説明を簡単にするために１組のキースイッチＳＷ１１及びＳＷ１２が装置１の近傍に配置された場合を仮定し、図４のタイミングチャートに従って説明する。
【００３３】
最初に、操作部（図示しない）に配置された運転開始釦を押下する。そのタイミングをｔ０とする。（図４（１）、ｔ０）。
【００３４】
主制御部は、この運転開始釦の押下を検知し、装置内の残留紙葉類の検知や紙葉類処理装置のドアの開閉など初期状態を確認し、装置の運転を開始して問題ない場合には３相モータ９４ａのインバータの設定が行われる（図４（２）、ｔ１）。このインバータの設定によって装置の運転が開始される（図４（３）、ｔ１）。通常、この状態では上述した紙葉類が取出されて搬送され紙葉類検査装置４の検知結果に基づいて区分処理される。この場合は、搬送速度が高速搬送になる（図４（８）、ｔ１）。
【００３５】
この運転中にキースイッチＳＷ１１がタイミングｔ２からｔ４の間オンし、続けてキースイッチＳＷ１２がタイミングｔ３からｔ５の間オンしたとしても、搬送速度に変化がない。
【００３６】
次に、紙葉類の処理が終了し、運転開始釦をオフすると、インバータの設定が解除され、装置の運転が停止する（ｔ６、停止中）。
【００３７】
この状態で、操作部からメンテナンスモードに設定すると装置はメンテナンスモードになり（ｔ７）、キースイッチＳＷ１１又はキースイッチＳＷ１２の受付待ち状態になる。
【００３８】
次に、このメンテナンスモード中に、キースイッチＳＷ１１がオンし（ｔ８）、続けてキースイッチＳＷ１２がオンすると（ｔ９）、電磁クラッチ及びブザーがオンする。ブザーは設定された所定の時間鼓動し周囲に注意を喚起したのち停止する。このキースイッチＳＷ１１及びキースイッチＳＷ１２が共にオン状態の間（ｔ９〜ｔ１０の間）、搬送速度は低速で回転する。この低速回転している間に所定の保守作業が終了し（ｔ１２）、操作部からメンテナンスモードから抜け、通常モードに戻ると、次の運転開始釦の押下待ちになる。
【００３９】
この状態から、運転開始釦が押下された場合は（ｔ１３）、前述した通りの処理が行われ、高速搬送が行われる。
【００４０】
以上のキースイッチの操作は、他のキースイッチから操作した場合も同様である。この際、少なくとも2個のキースイッチが一対で操作される必要がある。複数の箇所にこの2個のキーを対にして配置する場合には、例えば、図２に示す場合、キースイッチＳＷ１１、ＳＷ２１、・・・ＳＷｎ１は共通のキーを用い、キースイッチＳＷ１２、ＳＷ２２・・・ＳＷｎ２は共通のキーを用いる。このようにすることにより、２個の異なるキースイッチを準備することにより、何れの箇所からでもキー操作を行うことができる。
【００４１】
また、このキー操作は、図２で明らかなように、例えば装置１のキースイッチＳＷ１１がオンし、例えば装置２のキースイッチＳＷ２１又はＳＷ２２を誤ってオンしても電磁クラッチをオンすることはできないため、メンテナンスモードでの装置運転時の安全が確保される。
【００４２】
また、上記キースイッチの使用方法には、例えば、一対のキー操作の一方を操作員が保持し、他方を管理者が保有し、共にキースイッチがオンされた場合のみメンテナンスモードによる保守業務を行うようにする方法もある。このような方法によれば、本装置のように比較的大きな装置の場合に、メンテナンスモードなど、装置のカバーを開けた状態で装置が動作できるモードの場合、他の操作員が誤って装置を駆動することによる危険を防止できる。
【実施例２】
【００４３】
図５は、本発明の実施例２によるキースイッチ部分の構成である。本実施例２に示すキースイッチ部分以外の部分は実施例１と同様であるためその説明を省略し、変更になった部分の説明を行う。
【００４４】
本実施例のキースイッチ部分は、キースイッチＳＷ１１及びＳＷ１２を直列に接続し、その一端を電源＋Ｖｃｃに接続し、他端をリレー１１０の電源供給端子ｂに接続する。リレー１１０の端子ａは基準電位（０Ｖ）に接続する。リレー１１０の接点端子ｄは、反転素子１１０ｂの入力端子に入力され、その出力端子の出力信号ＳＷ１は、接続ライン９９ｄ１を経て搬送速度切替制御部の入力部に接続される。
【００４５】
リレー１１０の接点端子ｆは表示器１１０ａの一端に接続され、表示器１１ａの他端は電源＋Ｖｃｃに接続される。なお、リレー１１０の接点端子ｃ、ｅは基準電位に接続される。以上の構成によって、キースイッチＳＷ１１及びＳＷ１２がオンされると、リレー１１０が付勢され、接点端子ｄ及びｆが基準電位になる。その結果、表示器１１０ａは点灯する。また、反転素子１１０ｂの出力端子はハイレベルとなり、キースイッチＳＷ１１及びＳＷ１２が共にオンされたことを搬送速度切替制御部に通知する。それ以降の動作は、前述した通りである。
【００４６】
当然ながら、キースイッチＳＷ１１又はＳＷ１２の何れか一方がオフされるとリレー１１０が付勢されなくなり、表示器１１０ａが消灯し、反転素子１１０ｂの出力端子はローレベルになる。
【００４７】
以上説明したように、本発明の実施例では、装置が大きく一対となって使用されるキースイッチが複数用いられた場合に、押下されたスイッチが点灯するため、点灯されたスイッチを目視確認できることと、キースイッチを復帰する場合に点灯しているためわかりやすいという効果があり、操作員にたいする誤操作防止になる。
【実施例３】
【００４８】
図６は、本発明の実施例３によるキースイッチ部分の構成である。本実施例３では、キースイッチごとに対応するリレーが備えられている。このキースイッチ部分以外の部分は実施例１と同様であるためその説明を省略し、変更になった部分の説明を行う。
【００４９】
本実施例のキースイッチ部分は、キースイッチＳＷ１１に対応するリレー１１１、及びキースイッチ１２に対応するリレー１１２が備えられている。
【００５０】
キースイッチＳＷ１１の一方の端子は電源＋Ｖｃｃに接続し、他端は、リレー１１１の電源供給端子ｂに接続する。リレー１１１の接点端子ｆは、表示器１１１ａの一方の端子に接続し、表示器１１２ａの他端は電源＋Ｖｃｃに接続する。また、リレー１１１の接点端子ａ、ｃ、ｅは基準電位に接続する。
【００５１】
キースイッチＳＷ１２の一方の端子は電源＋Ｖｃｃに接続し、他端は、リレー１１２の電源供給端子ｂに接続する。リレー１１２の接点端子ｆは、表示器１１２ａの一方の端子に接続され、表示器１１２ａの他端は電源＋Ｖｃｃに接続される。また、リレー１１２の接点端子ａ、ｅは基準電位に接続する。
【００５２】
さらに、リレー１１１とリレー１１２のそれぞれ１個の接点を直列接続するために、リレー１１１の接点端子ｄをリレー１１２の接点端子ｃに接続し、リレー１１２の接点端子ｄを反転素子１１２ｂに入力する。反転素子１１２ｂの出力信号ＳＷ１は、接続ライン９９ｄ１を経て搬送速度切替制御部９９の入力部に接続される。
【００５３】
以上の構成において、キースイッチＳＷ１１がオンされると、表示器１１１ａが点灯し、同様にキースイッチＳＷ１２がオンされると、表示器１１２ａが点灯する。また、キースイッチＳＷ１１及びキースイッチＳＷ１２が共にオンすると反転素子１１２ｂの出力信号ＳＷ１はハイレベル（アクテブ）になり、キースイッチＳＷ１１，ＳＷ１２が共にオンになったことを搬送速度切替制御部に通知する。この後の動作は上記実施例１又は実施例２同様である。当然ながら、キースイッチＳＷ１１又はＳＷ１２の何れか一方がオフされると、オフされたキースイッチの接続されているリレーが付勢されなくなり、そのリレーに接続されている表示器が消灯する。
【００５４】
以上説明したように、本発明の実施例では、実施例２と同様の効果に加え、キースイッチＳＷ１又はキースイッチＳＷ２がオン又はオフされた状態を個別に監視することが可能になり、操作性、安全性が改善される。なお、本実施例では、反転素子の出力をハイレベルのときにアクテブとなる論理回路を形成したが、ローレベルのときにアクテブとなる論理回路を形成しても同様なのはいうまでもない。
【図面の簡単な説明】
【００５５】
【図１】本発明の実施例による搬送速度切替装置を搭載した紙葉類処理装置の概略構成図。
【図２】搬送速度切替装置を用いた搬送速度切替部を説明する図。
【図３】図２に示す搬送速度切替制御部から出力される電磁クラッチオン／オフ信号を説明する図。
【図４】搬送速度切替部の動作を説明するタイミングチャート。
【図５】本発明の実施例２によるキースイッチ部分の構成。
【図６】本発明の実施例３によるキースイッチ部分の構成。
【符号の説明】
【００５６】
Ｐ  紙葉類
Ｇ１  分岐ゲート
１  取出装置
３  搬送路（搬送手段）
４  紙葉類検査装置（紙葉類検査手段）
５  集積・結束装置（区分手段）
６  排除券集積装置
９  搬送速度切替装置
９１  第１の駆動手段
９１ａ  ＡＣモータ
９２  第１の伝達手段
９２ａ  連結ベルト
９３  搬送速度切替装置
９３ａ  電磁クラッチ（切替手段）
９３ａ１  入力軸保持部
９３ａ２  出力軸保持部
９３ｂ  入力軸
９３ｃ  プーリ
９３ｄ  出力軸
９３ｅ、９３ｆ  プーリ
９４  第２の駆動手段
９４ａ  ３相モータ
９５  第３の伝達手段
９５ａ  連結ベルト
９６  第２の伝達手段
９６ａ  連結ベルト
９７  軸受部
９９  搬送速度切替制御部
９９ａ  入力部
９９ｂ  ブザー
９９ｃ  切替制御部
【図１】
0004543002.tif 000002
【図２】
0004543002.tif 000003
【図３】
0004543002.tif 000004
【図４】
0004543002.tif 000005
【図５】
0004543002.tif 000006
【図６】
0004543002.tif 000007